(57)【特許請求の範囲】
【請求項１】
上端縁にリム部が形成された浴槽と、該浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットであって、
前記浴槽のリム部と前記洗い場防水床の土手部とを前記一側面の両端部それぞれにて水密的に結合する一対の結合部材を備え、
該結合部材の上端及び下端の少なくとも一方は、前記浴槽のリム部または前記洗い場防水床の土手部に設けられた貫通孔にビス止めされるための鉛直方向に長く形成された長孔を有し、前記結合部材の上下方向の長さを変えることなく、前記浴槽の据付高さの誤差に追従可能に結合された
ことを特徴とする浴室ユニット。
【請求項２】
上端縁にリム部が形成された浴槽と、該浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットであって、
前記浴槽のリム部と前記洗い場防水床の土手部とを前記一側面の両端部それぞれにて水密的に結合する一対の結合部材と、
該結合部材の上端部と前記浴槽リムとを固定するための浴槽側固定手段と、
前記結合部材の下端部と前記洗い場防水床とを固定するための防水床側固定手段と、
前記結合部材の上端及び下端にそれぞれ設けられ、所定の誤差を吸収可能な水密パッキンと、を備え、
前記防水床側固定手段は、前記洗い場防水床の土手部に取り付け固定され、上方に立ち上がった立ち上がり部に貫通孔が形成された固定部材と、
前記結合部材における前記固定部材の貫通孔と対応する位置に鉛直方向に長く形成された長孔と、を有することにより、
前記長孔及び前記貫通孔を貫通するようにビスが水平方向に螺挿され、前記洗い場防水床に前記固定部材を介して前記結合部材を固定される
ことを特徴とする浴室ユニット。
【請求項３】
上端縁にリム部が形成された浴槽と、前記浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットであって、
前記浴槽のリム部と前記洗い場防水床の土手部とを前記一側面の両端部それぞれに水密的に結合するための一対の結合部材と、
該結合部材の上端部と前記浴槽リムとを固定するための浴槽側固定手段と、
前記結合部材の下端部と前記洗い場防水床とを固定するための防水床側固定手段と、
前記結合部材の上端及び下端にそれぞれ設けられ、所定の誤差を吸収可能な水密パッキンと、を備え、
前記浴槽側固定手段は、前記浴槽のリム部裏面から下方に延在した部分に貫通孔が形成された固定部材と、
前記結合部材における前記固定部材の貫通孔と対応する位置に鉛直方向に長く形成された長孔と、を有することで、
前記長孔及び前記貫通孔を貫通するようにビスが水平方向に螺挿され、前記浴槽に前記固定部材を介して前記結合部材を固定する
ことを特徴とする浴室ユニット。
【請求項４】
上端縁にリム部が形成された浴槽と、前記浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットの施工方法であって、
レベル調整された架台上に、上端縁にリム部が形成された浴槽を載置するステップと、  前記浴槽のリム部と前記洗い場防水床の土手部とを前記一側面の両端部それぞれに水密的に結合するための一対の結合部材の上端部と、前記浴槽リムとを固定するステップと、
前記結合部材の下端部に設けられた鉛直方向に長く形成された長孔と、前記洗い場防水床の土手部に取り付け固定された固定部材に形成された貫通孔とにビスを螺挿して、前記浴槽に前記固定部材を介して前記結合部材を固定するステップと、
を備えることを特徴とする浴室ユニットの施工方法。
【請求項５】
上端縁にリム部が形成された浴槽と、前記浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットの施工方法であって、
レベル調整された架台上に、上端縁にリム部が形成された浴槽を載置するステップと、
前記浴槽のリム部と前記洗い場防水床の土手部とを前記一側面の両端部それぞれに水密的に結合するための一対の結合部材の下端部と、前記洗い場防水床の土手部に取り付け固定された固定部材とを固定するステップと、
前記結合部材の上端部に設けられた鉛直方向に長く形成された長孔と、前記浴槽リム部から下方側に延在した部分に形成された貫通孔とにビスを螺挿して、前記浴槽に前記固定部材を介して前記結合部材を固定するステップと、
を備えることを特徴とする浴室ユニットの施工方法。
【発明の詳細な説明】
【技術分野】
【０００１】
本発明は、一般家庭等の浴室として用いられる浴室ユニットに関し、特に、浴槽、洗い場用防水パン、及びバスエプロンをそれぞれ別体として現場に搬入し、それらのコンポーネントを現場にて一体に組み付けるタイプの浴室ユニットに関する。
【背景技術】
【０００２】
システムバス或いはユニットバスとも呼ばれる浴室ユニットの構造には数種類あるが、最も基本的でシンプルなものとしてハーフ構造がある。このハーフ構造は、洗い場付浴槽或いは洗い場一体型浴槽ともいわれ、架台の上に洗い場の床と浴槽とを一体で形成し、浴槽のリム上に壁パネルを載置するものである。
【０００３】
このハーフ構造の浴室ユニットには、（Ｉ）：浴槽と洗い場とを最初から一体に成形し、その一体のまま現場に搬入して施工するタイプのもの、（II）：浴槽とバスエプロン付きの洗い場用防水パンとを別体として成形し、施工時に双方を一体に組み付けるタイプのもの、更には、（III）：浴槽、洗い場用防水パン、バスエプロン、及びバスエプロン用の枠体などの主要なコンポーネントをそれぞれ別体として成形して現場に搬入し、現場にて一体に組み付ける分割タイプのものなどがある。
【０００４】
各タイプの浴室ユニットそれぞれに長所はあるが、現場への搬入性、現場での施工や保守の容易性、更にはユーザの高級感に対する満足度の点から、上述した（III）の分割タイプの浴室ユニットに対する要請は高い。
【０００５】
この（III）の分割タイプの浴室ユニットの一例として、上端縁にリム部が形成された浴槽と、この浴槽の一側面に隣接して配置され且つ土手部が形成された洗い場用防水パンと、前記浴槽のリム部と前記防水パンの土手部とを前記一側面の長手方向における両端部それぞれにて水密に結合するための所定長さの一対の結合部材と、前記浴槽の前記一側面の側に前記一対の結合部材、前記浴槽のリム部、及び前記防水パンの土手部から成る枠部により画成される矩形状の開口部を水密に閉塞する着脱自在な板状のバスエプロンとを備えたユニットバスがある（例えば、特許文献１参照。）。
【０００６】
斯かるユニットバスによれば、浴槽と洗い場用防水パンとを現場にて一体化するのに必要な部材は、ピラー状の一対の結合部材で足り、結合部材に関して水密手段が必要になる部分は、各結合部材の上下の端部とバスエプロンが開口部に当接する周回部分のみで足りる。
【０００７】
したがって、より簡素な構造でありながら、浴槽と洗い場用防水パンとを高い止水性を保持して互いに結合できる。また、主要なコンポーネントの数が少なくなるとともに、従来のように予めバスエプロンと洗い場用防水パンが一体化されたような大形のコンポーネントを搬入しなくても済むので、搬入性も良くなる。さらに、従来のような連結フレームなど、大形の結合部材を使用しなくても済むので、製造コストを抑制できる。
【０００８】
【特許文献１】特開２００５−２９６３５９号公報
【発明の開示】
【発明が解決しようとする課題】
【０００９】
しかしながら、上述した特許文献１に記載のユニットバスでは、浴槽のレベル出しに難点があった。すなわち、ユニットバス据付現場では、まず洗い場防水パンを据え付けた後、浴槽下の架台を据え付けて、この架台のレベルを出す。そして、浴槽を設置する前に結合部材を所定の位置に取り付ける。浴槽は、そのリムをこの結合部材上端に引っかけるようにしつつ、架台の上に据え付ける。この時点では、浴槽のレベルは未だ出ていない。
【００１０】
浴槽のレベルを出すには、浴槽下の高さ調整可能な脚４本全てではなくて、手前側（結合部材側）の２本を短く（フリーに）しておいて、奥の２本を調整する。手前側は、結合部材上端にもたせかけているので、自ずと結合部材に力がかかりながら高さが決まる。すなわち、この段階では、結合部材は、本来の浴槽と洗い場防水パンの土手部とを繋ぐ部材であり且つ水密性を保つ部材である外、浴槽のレベルを出す部材であると同時に浴槽の荷重を受ける部材でもある。この状態は、奥側の脚のレベル調整後、手前側の脚を架台に着地させて、結合部材に浴槽の荷重がかからなくなるまで続く。
【００１１】
このように、特許文献１記載のユニットバスによれば、浴槽下の架台のレベル出しに加え、浴槽を据え付けた後、もう一度奥側の脚で浴槽自体のレベル調整を行う必要があり、レベル調整が二度手間になっていた。また、浴槽の脚も、浴槽高さ調整機構として必要であった。
【００１２】
さらに、結合部材は、浴槽の荷重を受けるので、ある程度強い部材でなければならず、そのため高価なＧＲＰ（ガラス強化プラスティック）で製作せざるを得なかった。
【００１３】
本発明は、上述した事情を考慮してなされたもので、浴槽自体のレベル調整が要らない浴室ユニットを提供することを目的とするものである。
【００１４】
本発明の他の目的は、浴槽高さ調整用機構が不要な浴室ユニットを提供することにある。
【００１５】
本発明のさらに他の目的は、結合部材の強度が小さくてもすむ浴室ユニットを提供することにある。
【課題を解決するための手段】
【００１６】
本発明に係る浴室ユニットは、上述した課題を解決するために、上端縁にリム部が形成された浴槽と、該浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットであって、前記浴槽のリム部と前記洗い場防水床の土手部とを前記一側面の両端部それぞれにて水密的に結合する一対の結合部材を備え、該結合部材の上端及び下端の少なくとも一方は、前記浴槽のリム部または前記洗い場防水床の土手部に設けられた貫通孔にビス止めされるための鉛直方向に長く形成された長孔を有し、前記結合部材の上下方向の長さを変えることなく、前記浴槽の据付高さの誤差に追従可能に結合されたものである。
【００１７】
より具体的には、上端縁にリム部が形成された浴槽と、該浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットであって、前記浴槽のリム部と前記洗い場防水床の土手部とを前記一側面の両端部それぞれにて水密的に結合する一対の結合部材と、該結合部材の上端部と前記浴槽リムとを固定するための浴槽側固定手段と、前記結合部材の下端部と前記洗い場防水床とを固定するための防水床側固定手段と、前記結合部材の上端及び下端にそれぞれ設けられ、所定の誤差を吸収可能な水密パッキンとを備え、前記防水床側固定手段は、前記洗い場防水床の土手部に取り付け固定され、上方に立ち上がった立ち上がり部に貫通孔が形成された固定部材と、前記結合部材における前記固定部材の貫通孔と対応する位置に鉛直方向に長く形成された長孔とを有することにより、前記長孔及び前記貫通孔を貫通するようにビスが水平方向に螺挿され、前記洗い場防水床に前記固定部材を介して前記結合部材を固定されるものである。
【００１８】
或いは、上端縁にリム部が形成された浴槽と、前記浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットであって、前記浴槽のリム部と前記洗い場防水床の土手部とを前記一側面の両端部それぞれに水密的に結合するための一対の結合部材と、該結合部材の上端部と前記浴槽リムとを固定するための浴槽側固定手段と、前記結合部材の下端部と前記洗い場防水床とを固定するための防水床側固定手段と、前記結合部材の上端及び下端にそれぞれ設けられ、所定の誤差を吸収可能な水密パッキンとを備え、前記浴槽側固定手段は、前記浴槽のリム部裏面から下方に延在した部分に貫通孔が形成された固定部材と、前記結合部材における前記固定部材の貫通孔と対応する位置に鉛直方向に長く形成された長孔とを有することで、前記長孔及び前記貫通孔を貫通するようにビスが水平方向に螺挿され、前記浴槽に前記固定部材を介して前記結合部材を固定するものとしてもよい。
【００１９】
他方、上述した課題を解決するために、浴室ユニットの施工方法は、上端縁にリム部が形成された浴槽と、前記浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットの施工方法であって、レベル調整された架台上に、上端縁にリム部が形成された浴槽を載置するステップと、前記浴槽のリム部と前記洗い場防水床の土手部とを前記一側面の両端部それぞれに水密的に結合するための一対の結合部材の上端部と、前記浴槽リムとを固定するステップと、前記結合部材の下端部に設けられた鉛直方向に長く形成された長孔と、前記洗い場防水床の土手部に取り付け固定された固定部材に形成された貫通孔とにビスを螺挿して、前記浴槽に前記固定部材を介して前記結合部材を固定するステップとを備えるものである。
【００２０】
或いは、上端縁にリム部が形成された浴槽と、前記浴槽の一側面に隣接させて設置され且つ土手部が形成された洗い場防水床と、前記浴槽の前記洗い場防水床に隣接する側面を掩蔽するバスエプロンとが、それぞれ分割されて構成される浴室ユニットの施工方法であって、レベル調整された架台上に、上端縁にリム部が形成された浴槽を載置するステップと、前記浴槽のリム部と前記洗い場防水床の土手部とを前記一側面の両端部それぞれに水密的に結合するための一対の結合部材の下端部と、前記洗い場防水床の土手部に取り付け固定された固定部材とを固定するステップと、前記結合部材の上端部に設けられた鉛直方向に長く形成された長孔と、前記浴槽リム部から下方に延在した部分に形成された貫通孔とにビスを螺挿して、前記浴槽に前記固定部材を介して前記結合部材を固定するステップとを備える物とすることができる。
【発明の効果】
【００２１】
本発明に係る浴室ユニットによれば、浴槽自体のレベル調整が不要となる。
【００２２】
また、本発明は、浴槽高さ調整用機構が不要となる効果が得られる。
【００２３】
さらに、本発明は、結合部材の強度が小さくてもすむという効果が得られる。
【発明を実施するための最良の形態】
【００２４】
以下、添付図面を参照して、本発明に係る浴室ユニットの第１の実施形態を説明する。図１に、この実施形態に係る浴室ユニットの全体の外観（組付け後の外観）を示し、図２に、この浴室ユニットの主要コンポーネントを分解した状態（組付け前）の外観を示す。
【００２５】
最初に、この浴室ユニットの主要コンポーネントを中心とする概要を説明する。
【００２６】
図１及び図２に示すように、浴室ユニット１は、その主要コンポーネントの一部として、浴槽２と、この浴槽２に隣接して設置される洗い場用防水パン３（以下、防水パン３と呼ぶ）、この防水パン３と浴槽２とを着脱自在に結合する一対の結合部材４Ａ，４Ｂと、この結合部材４Ａ，４Ｂ、浴槽２の防水パン側（一側面側）のリム部２ｂ１、及び防水パン３の浴槽側（一側面側）の土手部５により画成される矩形状の開口部ＯＰ（図２参照）を着脱自在に且つ止水性を保持して閉塞するバスエプロン６及び小型バスエプロン７とを備える。浴槽２及び防水パン３は、建築構造物（例えばコンクリート床）上に置かれた高さ調節可能な架台８，９により支持されている。
【００２７】
これらの浴槽２、防水パン３、結合部材４Ａ，４Ｂ、バスエプロン６及び小型バスエプロン７により、この浴室ユニット１は、浴槽の部分、洗い場の部分、及びバスエプロンの部分が予め分離されて提供される「分割構造」を特徴とする。すなわち、これらの主要コンポーネント（浴槽２、防水パン３、結合部材４Ａ，４Ｂ、バスエプロン６及び小型バスエプロン７）は、それぞれ、別体として製造されて現場に搬入され、現場にて一体に組み付けられる。
【００２８】
このため、現場への搬入性がアップして省施工が可能になる他、サイズの大きい点検口（すなわち開口部ＯＰ）を確保できるため、保守性も高い。また、一体に組付け後の浴槽の外観は浴槽２、洗い場床及びバスエプロン面の色・素材に変化をつけることが可能で、浴室ユニット１の高級感を醸し出すことができる。
【００２９】
浴槽２は、利用者が身体を伸ばして入浴できるように細長い内容積の浴槽本体２ａを有し、その浴槽本体２ａの周囲にリム部２ｂを形成している。リム部２ｂは、その長手方向に沿って位置し且つ防水パン３に隣接する第１のリム部２ｂ１と、この第１のリム部２ｂ１に連なって浴槽本体２ａの縁を一周する第２〜第４のリム部２ｂ２〜２ｂ４とから成る。
【００３０】
このうち、第１のリム部２ｂ１は、浴槽本体２ａを形成する壁体が所定高さの位置で所定幅の湾曲部を残すように折れ曲がって一体成形されている。
【００３１】
第２〜第４のリム部２ｂ２〜２ｂ４には、立ち上がり部がそれぞれ形成され、この立ち上がり部の内側に沿って浴室の壁体を嵌め込んで止水処理することで止水性を確保している。
【００３２】
一方、防水パン３は、床面部３ａと、床面部３ａの浴槽２側の縁部に立ち上がりを一体に形成する土手部５と、他の三方の縁部の壁パネル載置部３ｂとから成る。床面部３ａは浴槽寄りの中央部に向かって緩やかに傾斜しており、その中央部に形成された排水ピット３ｃに導水できるようになっている。
【００３３】
この防水パン３の土手部５は、その長手方向に沿って位置し且つ浴槽２に隣接し、残余の周縁は、防水パン３の縁を一周する壁パネル載置部３ｂとから成る。
【００３４】
さらに、防水パン３の壁パネル載置部３ｂにも、立ち上がり部がそれぞれ形成され、この立ち上がり部の内側に沿って浴室の壁体を嵌め込んで止水処理することで止水性が確保される。壁パネル載置部３ｂの所定範囲に及ぶ位置には、浴室出入り用のドアが設置される。
【００３５】
バスエプロンは、所定厚さを有する略矩形状の板体である。本実施形態に係る浴室ユニット１では、結合部材４Ｂ周りの小型バスエプロン７と、残余の部分のバスエプロン６の二つに分割されている。
【００３６】
一対の結合部材４Ａ，４Ｂのうち、第１の結合部材４Ａの斜視図を図３に示す。この第１の結合部材４Ａは、図３に示すように、浴室の壁体の一部を支持するためのポスト部１０と、浴槽２の第１のリム部２ｂ１と防水パン３の土手部５との間に挿入されるピラー部１１とを備える。
【００３７】
ピラー部１１の下端近傍には、図３に示すように、その面が一部凹んだ凹部１１ａが形成されている。この凹部１１ａには、図４に示すように、鉛直方向に長く形成された長孔１１ｂが設けられる。
【００３８】
これに対して、防水パン３の土手部５の端部には、図５に示すように、第１の結合部材４Ａのピラー部１１の底部の形状に合わせた切込み部５ａが形成されている。そして、この切込み部５ａには、第１の結合部材４Ａのピラー部１１の凹部１１ａと対向する位置に、防水床側固定具１２が取設される。
【００３９】
この防水床側固定具１２は、鋼板を折曲形成してなるもので、その固定部１２ａは、土手部５に跨るように取り付けられ、また、立上り部１２ｂには、ネジが貫通する貫通孔１２ｃが穿設される。
【００４０】
そして、凹部１１ａの長孔１１ｂと防水床固定具１２の貫通孔１２ｃとをねじにより螺合することで、図６に示すように、第１の結合部材４Ａが防水パン３に結合される。
【００４１】
このように、第１の結合部材４Ａのピラー部１１の凹部１１ａに設けられたねじ止め用の孔は、鉛直方向に長い長孔１１ｂに形成されるので、結合部材４Ａの高さを調節することが可能となっている。
【００４２】
この第１の結合部材４Ａのピラー部１１の底面には、結合部材４Ａの高さ調節によって生じる誤差を吸収可能な水密パッキンが貼り付けられている。  他方、この第１の結合部材４Ａの上端部には、図７に示すように、浴槽２への取付部１１ｃが突設されている。この取付部１１ｃは、ピラー部１１の上端からその裏面側（浴槽２側）に、水平に突設され、その略中央には、ボルトが挿通可能な切込み１１ｄが設けられる。
【００４３】
これに対して、浴槽２の第１のリム部２ｂ１には、図８に示すように、第１の結合部材４Ａのピラー部１１の取付部１１ｃと対向する位置に、浴槽側固定具１３が取設される。本実施形態では、斯かる浴槽側固定具１３は、鉛直方向を指向するインサートナットにより形成されている。
【００４４】
そして、取付部１１ｃの切込み１１ｄと浴槽側固定具１３のインサートナットとをボルトにより螺合することで、図９に示すように、第１の結合部材４Ａが浴槽に結合される。この結合部材４Ａ上端における浴槽２への取付では、下端における土手部への取付と異なり、高さ調整機能は備えていない。この第１の結合部材４Ａのピラー部１１の上面には、水密パッキンが貼り付けられている。
【００４５】
もう一方の第２の結合部材４Ｂは、その表裏を貫通する貫通孔４Ｂａが所定高さの位置に形成されている点で第１の結合部材４Ａと相違し、他の構成は第１の結合部材４Ａと実質的に同じであり、説明を省略する。この貫通孔４ＢＡａは、配管を通過させるためのものである。
【００４６】
ここで、上述した浴室ユニット１を現場で組み付けるための作業者による作業工程を説明する。図１０は、斯かる作業工程を示すフローチャートである。なお、全てのコンポーネントは別体として一般家庭の戸建住宅や集合住宅などの現場に搬入されるものとする。また、説明の便宜のため、壁パネルや各種配管の取付等については説明を省略する。
【００４７】
最初に、建築構造物上に設置された高さ調整可能な洗い場用架台８に防水パン３が置かれ、洗い場用架台８の高さ調整がなされる（ステップＳ１）。次いで、図１１に示すように、防水パン３の隣に浴槽用架台９が設置され、高さ調整に付される（ステップＳ２）。
【００４８】
高さが調整されると、図１２に示すように、その上に浴槽２が配置される（ステップＳ３）。浴槽２は、従来のように脚を有せず、浴槽用架台９上に直接載置される。この段階では、浴槽２は位置調整の必要性から、未だ固定されていない。また、この際、土手部５の切込み部５ａに防水床側固定具１２が取設される。
【００４９】
次いで、図１３に示すように、浴槽２と防水パン３の両者の一辺側の両端部を第１及び第２の結合部材４Ａ，４Ｂで相互に結合する（ステップＳ４）。この際、結合部材４Ａ上端の取付部１１ｃと浴槽側固定具１３とは移動不能に固定される一方、結合部材４Ａ下端近傍の鉛直方向に長い長孔１１ｂと防水床側固定具１２との間は、浴槽２のリム２ｂ１と洗い場の土手部５との間の高さに合わせて、結合部材４Ａの高さ調整が行われる。
【００５０】
このようにして結合された結合部材４Ａの垂直を出した後、浴槽２を浴槽用架台９に固定する（ステップＳ５）。そして、最後に、小型バスエプロン７及びバスエプロン６を取り付ける（ステップＳ６）。
【００５１】
本実施形態に係るユニットバス１は以上のように構成されて機能することから、以下の利点を享受することができる。
【００５２】
まず、浴槽自体のレベル調整が要らないことが挙げられる。従来の分割タイプの浴室ユニットでは、浴槽下の架台のレベル出しに加え、浴槽を据え付けた後、もう一度奥側の脚でレベル調整を行う必要があり、レベル調整が二度手間になっていた。レベル調整が一回で済むことにより、施工性が向上し、ひいては据付コストを低減することができる。
【００５３】
また、浴槽高さ調整用機構としての脚が不要となる。浴槽用架台のレベルが出ていれば、その上に載置される浴槽も自ずとレベルが出るので、改めて脚を用いてレベル調整を行う必要はない。これにより、部品数が減少するので、製造コストを低減することができる。
【００５４】
さらに、結合部材の強度が小さくてもすむ。結合部材に浴槽の荷重がかからないので、大きな強度を必要とせず、したがって、従来のように高価なＧＲＰで製作する必要がなくなり、製造コストを低減することができる。
【００５５】
次に、本発明に係る浴室ユニットの第２の実施形態について、図１４，１５を参照して説明する。
【００５６】
本実施の形態の浴室ユニット１Ａは、同図に示すように、結合部材４Ａの高さ調整用の鉛直方向に長い長孔１１ｇを、防水床側固定具１２側ではなく、浴槽側固定具１３側に有する点で、第１の実施形態におけるものと基本的に相違し、他の構成は第１の実施形態と実質的に同じであり、同じ符号を付して説明を省略する。
【００５７】
結合部材４Ａの下端近傍の凹部１１ａには、長孔ではなく丸孔１１ｅが設けられ、ねじにより防水床側固定具１２の貫通孔１２ｃと移動不能に連結される。
【００５８】
他方、結合部材４Ａの上端近傍には、側方に取付部１１ｆが鉛直方向に突設され、この取付部１１ｆには、鉛直方向に長い長孔１１ｇが設けられる。そして、図１５に示すように、本実施形態に係る浴槽側固定具１３は、浴槽２のリム部２ｂ１裏面のリブ２ｃから下方に垂設され、その略中央には丸孔１３ａが設けられる。これにより、結合部材４Ａ上端近傍の鉛直方向に長い長孔１１ｇと浴槽側固定具１３との間は、浴槽２のリム２ｂ１と洗い場の土手部５との間の高さに合わせて、結合部材４Ａの高さ調整可能に連結される。
【００５９】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００６０】
例えば、第１及び第２の実施形態においては、結合部材の高さ調整用の鉛直方向に長い長孔は、結合部材の下端又は上端の一方にのみ設けられていたが、上端及び下端の両方に長孔を設ける構成としてもよい。
【００６１】
また、第１及び第２の実施形態においては、防水床側固定具１２は土手部５とは別体で形成されるが、土手部５と一体化されて形成されてもよい。
【図面の簡単な説明】
【００６２】
【図１】本発明の一実施形態に係る浴室ユニットの外観斜視図。
【図２】浴室ユニットの主要コンポーネントを分解して示す分解斜視図。
【図３】結合部材の外観斜視図。
【図４】結合部材下端部の外観図。
【図５】防水床側固定具の斜視図。
【図６】結合部材下端部の固定状態を示す透視図。
【図７】結合部材上端部を示す斜視図。
【図８】浴槽側固定具の斜視図。
【図９】結合部材上端部の固定状態を示す透視図。
【図１０】浴室ユニットの施工手順を示すフロー図。
【図１１】浴槽側架台を組み付けた状態を示す図。
【図１２】浴槽を据え付けた状態を示す図。
【図１３】結合部材を取り付けた状態を示す図。
【図１４】第２の実施形態に係る浴室ユニットの結合部材を示す斜視図。
【図１５】第２の実施形態に係る結合部材上端部を示す図。
【符号の説明】
【００６３】
１，１Ａ  浴室ユニット
２  浴槽
２ａ  浴槽本体
２ｂ  リム部
２ｃ  リブ
３  洗い場用防水パン
３ａ  床面部
３ｂ  壁パネル載置部
３ｃ  排水ピット
４Ａ，４Ｂ 第１及び第２の結合部材
４Ｂａ  貫通孔
５  土手部
５ａ  切込み部
６  バスエプロン
７  小型バスエプロン
８  洗い場用架台
９  浴槽用架台
１０  ポスト部
１１  ピラー部
１１ａ  凹部
１１ｂ，１１ｇ  長孔
１１ｃ，１１ｆ  取付部
１１ｄ  切込み
１１ｅ  丸孔
１２  防水床側固定具
１２ａ  立上り部
１２ｂ  貫通孔
１３，１３Ａ  浴槽側固定具
１３ａ  丸孔
ＯＰ  開口部
【図１】
0005119955.tif 000002
【図２】
0005119955.tif 000003
【図３】
0005119955.tif 000004
【図４】
0005119955.tif 000005
【図５】
0005119955.tif 000006
【図６】
0005119955.tif 000007
【図７】
0005119955.tif 000008
【図８】
0005119955.tif 000009
【図９】
0005119955.tif 000010
【図１０】
0005119955.tif 000011
【図１１】
0005119955.tif 000012
【図１２】
0005119955.tif 000013
【図１３】
0005119955.tif 000014
【図１４】
0005119955.tif 000015
【図１５】
0005119955.tif 000016